(57)【要約】【課題】全周にわたって効果的な滑り止めを長期間にわたって維持することができる低コストの釣り竿を提供すること。【解決手段】竿杆１２の握り部１８に、互いに交差する複数の繊維束２４からなる布状強化材に合成樹脂を含浸したプリプレグを巻回し、これらの繊維束２４と、繊維束間の凹部２６との間に形成される多数の段差と、プリプレグの表面上に連続的に形成される螺旋状段差２８とを有し、握持する手の滑りを抑制する凹凸状の外周面を形成した釣り竿１０。【選択図】      図３
2010104335.tif 000002
【特許請求の範囲】
【請求項１】
竿杆の握り部に、互いに交差する複数の繊維束からなる織物状強化材に合成樹脂を含浸したプリプレグを巻回し、これらの繊維束と、繊維束間の凹部との間に形成される多数の段差と、前記プリプレグの表面上に連続的に形成される螺旋状段差とを有し、握持する手の滑りを抑制する凹凸状の外周面を形成したことを特徴とする釣り竿。
【請求項２】
魚釣用リールを取付ける板状のリール脚固定装置を前記凹凸状の外周面に固定したことを特徴とする請求項１に記載の釣り竿。
【発明の詳細な説明】
【技術分野】
【０００１】
本発明は、釣り竿に関し、特に、竿杆に握り部を設けた釣り竿に関する。
【背景技術】
【０００２】
例えばスピニングリール等の魚釣用リールは、リール本体から脚部を突出させ、この脚部の先端に釣竿取付部を形成した略Ｔ字状の取付脚を有し、この釣竿取付部を竿杆のリール脚載置面に載置した状態で固定される。実釣時には、この釣竿取付部を竿杆の握り部と共に握り込み、握持する手の指と指との間に釣竿取付部から突出する脚部を挟みこんだ状態で把持される。これにより、釣り竿が竿杆の軸線を中心として回動するのを防止し、安定した状態で把持し、釣り操作を容易に行うことができる。
【０００３】
このような魚釣用リールを用いた実釣に際しては、濡れた釣糸をリールで巻き取る際、水滴が釣り竿に付着する場合がある。特に、握り部に水滴が付着すると、滑りやすく、円滑な魚釣り操作に支障を来す。このため、握り部に滑り止めを形成した種々の釣り竿が開発されている。
【０００４】
例えば繊維強化樹脂で形成した竿杆の外周面に、厚手のステンシルを用い、合成樹脂材料をシルクスクリーン印刷し、多数の滑り止め突起を所定形状に突出させたものがある（例えば特許文献１参照）。また、竿杆のリールシートの前後に、補強と装飾とを兼ねて、強化繊維を帯状に束ねた繊維束を３方向に交差状に引き揃えたいわゆる３軸織物状の強化材に合成樹脂を含浸したプリプレグを巻回したものがある（例えば特許文献２参照）。
【特許文献１】特開昭６２−１６１３２号公報
【特許文献２】特開２００６−１８１９６９
【発明の開示】
【発明が解決しようとする課題】
【０００５】
しかし、このように竿杆を形成した後に、シルクスクリーン印刷により突起を形成するものは、製造工程数が増加することに加え、特に、突起の突出高さを高くすると、使用状況によっては、印刷により形成された突起が竿杆の本体から剥離する可能性もある。また、強化材を３軸織物状に形成したプリプレグを巻回したものは、特に繊維束の重なり部分と繊維束で囲まれた凹部との間の段差により、ある程度の滑り止め効果を得ることが可能であるが、例えばキャスティング時に竿杆が強く振出される際や竿先が下向きになっている際には、特に軸方向先方に向けて軸方向の力が作用し、このような軸方向の力に対して十分な滑り止め効果を得ることはできない。
【０００６】
本発明は、このような事情に基づいてなされたもので、全周にわたって効果的な滑り止めを長期間にわたって維持することができる低コストの釣り竿を提供することを目的とする。
【課題を解決するための手段】
【０００７】
このような目的を達成する本発明の釣り竿は、竿杆の握り部に、互いに交差する複数の繊維束からなる織物状強化材に合成樹脂を含浸したプリプレグを巻回し、これらの繊維束と、繊維束間の凹部との間に形成される多数の段差と、前記プリプレグの表面上に連続的に形成される螺旋状段差とを有し、握持する手の滑りを抑制する凹凸状の外周面を形成したことを特徴とする。
【０００８】
魚釣用リールを取付ける板状のリール脚固定装置を前記凹凸状の外周面に固定してもよい。
【発明の効果】
【０００９】
本発明の釣り竿によると、握り部の全周にわたって、強化繊維の繊維束による多数の段差とプリプレグの表面上の螺旋状段差とからなる凹凸状の外周面が竿杆の本体と一体構造に形成されることにより、水に濡れた場合でも、握り部の表面に水膜が形成されるのが防止されると共に、繊維束による多数の段差が握持した手の周方向に沿う滑りを抑制し、螺旋状段差が軸方向に沿う滑りを抑制し、全周にわたって効果的な滑り止め効果を長期間にわたって得ることができる。
【００１０】
魚釣用リールの板状のリール脚固定装置が凹凸状の外周面に固定される場合には、滑り止め効果を阻害することなく、リール脚固定装置を安定装着することができる。
【発明を実施するための最良の形態】
【００１１】
図１から図５は、本発明の好ましい実施形態による軽量構造のガイド付き釣り竿１０を示す。
【００１２】
図１に全体を示すように、この釣り竿１０は、竿尻側の大径竿杆１２に、この釣り竿を操作するためのハンドル部１４を設け、この大径竿杆に穂先側の小径竿杆１６を継合わせて形成してある。このハンドル部１４には、前部握り部１８Ａと後部握り部１８Ｂとからなる握り部１８を配置してあり、本実施形態では、前部握り部１８Ａに例えばスピニングリールである魚釣用リール８が固定されている。後部握り部１８Ｂは例えばコルクあるいは硬めの発泡性樹脂材料等の握持する際に手になじみ易い材料で、その表面部を覆ってもよく、後端は竿尻部品で閉じられている。
【００１３】
この魚釣用リール８から繰出された釣糸が竿杆の外面に付着するのを防止する釣糸ガイド２０が、魚釣用リール８と同じ側で、釣竿１０の穂先に向けて所定間隔をおいて固定され、竿先にはトップガイド２０ａが取付けられている。このような釣糸ガイド２０の個数および配置位置は、図示の例に限らず、任意に設定することが可能である。
【００１４】
これらの竿杆１２，１６は、強化繊維に合成樹脂を含浸させた繊維強化プリプレグ（ＦＲＰ）がそれぞれの強化繊維をそれぞれ周方向および軸長方向に引き揃えられた状態で芯金に巻回された後、硬化、脱芯等の通常の工程を経て形成される。これらの竿杆１２，１６は、中空構造に形成する他、中実構造に形成してもよく、また、釣竿の全体を一本の竿杆で形成し、あるいは３本以上の竿杆から形成することもできる。更に、ハンドル部１４のみを独立した竿杆に形成し、これに適宜の竿杆を継合わせることも可能である。竿杆の全体を中空構造とする場合には、釣糸を案内するガイドとして、魚釣用リール８から繰出される釣糸を竿管内に導く釣糸導入ガイド、および、この釣糸導入ガイドから導入された釣糸を竿管内で案内し、穂先から導出するガイドリング等の種々のガイドを備えた中通し式の釣竿に形成することもできる。
【００１５】
図２および図３に示すように、本実施形態の前部握り部１８Ａは、その表面部の全周にわたって滑り止め２２を形成してある。図示の前部握り部１８Ａは、大径竿杆１２の竿尻側に設けてあるが、釣り竿１０を操作する際に把持する部位であれば、大径竿杆１２の竿先側に設けることもでき、更に、例えば３本以上の竿杆を継合する場合には、中竿等の所要部位にも設けることができる。
【００１６】
図３から図５に示すように、滑り止め２２は、握持する手の滑りを抑制する凹凸状の外周面で形成してあり、この凹凸状の外周面は、大径竿杆１２の本体を形成する各繊維強化プリプレグを巻回した後、この積層構造の本体層の外側に、互いに交差する複数の繊維束２４からなる織物状強化材に合成樹脂を含浸したプリプレグを巻回した最外層を１層分積層することで形成してある。
【００１７】
本実施形態の織物状強化材の繊維束２４は、互いに同一方向に引き揃えた多数の繊維を扁平状に束ねて形成してあり、大径竿杆１２の周方向に延びる周方向繊維束２４Ａと、大径竿杆１２の軸長方向に対して例えば、１５°〜７５°の範囲で３０度程度が好ましい傾斜角を有する斜向繊維束２４Ｂと、軸長方向に対して斜向繊維束２４Ｂと対称方向に延びる斜向繊維束２４Ｃとの３つの方向に延びる。これらの繊維束２４は、それぞれ同じ方向に延びる繊維束間にこれらの繊維束２４よりも幅広の凹部２６を形成してある。
【００１８】
このような繊維束２４は、例えばカーボン、ガラス、アラミド等の繊維材料で形成することができる。各繊維束２４は、全て同じ繊維で形成してもよく、各繊維束２４ごとに例えば色が異なる繊維で形成することも可能であり、更に、必要な場合には、複数種の繊維材料で１つの繊維束２４を形成することも可能である。いずれの場合も、繊維束２４の幅Ｄを０．５〜１．５ｍｍの範囲で、好ましくは０．６〜１．２ｍｍ程度に形成し、同じ方向に延びかつ隣接する繊維束２４間の間隔Ｗは、それぞれの繊維束２４の幅Ｄに対し、同等から３倍程度の大きさ（Ｄ≦Ｗ≦３Ｄ）に形成することが好ましい。繊維束２４の幅Ｄに対してこのような間隔Ｗに形成することにより、各繊維束２４と凹部２６との間の段差を利用して好適な滑り止め効果を得ることができる。
【００１９】
各繊維束２４の厚さｔ（図５)は０．０５〜０．１ｍｍ程度に形成してもよく、このような厚さであっても、斜向繊維束２４Ｂ，２４Ｃの交差部２５で例示するように、各繊維束２４Ａ，２４Ｂ，２４Ｃの交差部２５では、凹部２６との間にかなり大きな段差を形成することができ、更に向上した滑り止め効果を得ることができる。
【００２０】
このような３つの方向の繊維束２４を互いに交差させて編み上げた織物状強化材に含浸する合成樹脂は、例えばエポキシ樹脂等が好ましく、透明又は半透明の樹脂材料を用いる場合には、繊維束２４を外部から視認することができる。なお、透明は無色透明に限らず、有色透明のものであってもよい。
【００２１】
なお、織物状強化材は、図４に示すような３軸織物状に強化繊維を組上げることに限らず、図６に示すような互いに直交する２軸方向に延びる繊維束２４Ｄ，２４Ｅを互いに交差させて組上げたものであってもよい。この場合にも、交差部２５と凹部２６との間にかなり大きな段差を形成することができる。いずれの場合も、後述するように、加熱工程等の種々の工程を経て形成した後、繊維束２４と凹部２６との間の段差および交差部２５と凹部２６との間の段差を維持し、滑り止め効果を確保することができる。
【００２２】
このような織物状強化材に合成樹脂を含浸したプリプレグは、大径竿杆１２の本体を形成する繊維強化プリプレグを巻回した本体層の上に、例えば全周にわたるほぼ１回分巻回し、このプリプレグの外周面に、図示しない緊締テープを穂先側から元側に向けて連続的に巻付ける。この後、加熱工程、冷却工程、脱芯、緊締テープの除去、研磨等の工程を経て大径竿杆１２の本体と一体化した滑り止め２２が形成される。
【００２３】
この加熱工程では、樹脂流動により、図５に示すように、繊維束２４を囲む樹脂膜が形成されると共に、プリプレグの合成樹脂の一部が大径竿杆１２の本体側に流れ、大径竿杆１２の本体と一体化すると共に、緊締テープの締付け力により、未硬化のプリプレグが半径方向内方に加圧され、プリプレグ中の樹脂が軟化して緊締テープの肉厚に相当する量だけ盛上った螺旋状段差２８（図４）が形成される。このように、滑り止め２２および大径竿杆１２を形成する繊維層の全体を外周側から所要の圧力で均一に加圧するため、緊締テープを、例えば２ｍｍ程度のピッチで、その縁部が例えば１５ｍｍ程度の幅で重なる状態で螺旋状に巻回することが好ましい。この加熱工程における樹脂流動により、図５に示すように、合成樹脂が大径竿杆１２の本体側に流れ、大径竿杆１２の本体と一体化した滑り止め２２が形成される。
【００２４】
このように螺旋状に巻回する緊締テープは通常のものでよいが、例えば、厚さが２５μｍ、幅寸法が１５〜２５ｍｍ程度の例えばポリエステル、ポリプロピレン樹脂あるいはこれらの樹脂の組合せで一層、二層あるいはサンドイッチ構造に形成され、大径竿杆１２の外面を所要の締付け力で加圧するための十分な強さのものを使用することが好ましい。また、横断面形状は、形成しようとする螺旋状段差２８の断面形状に応じた厚さ、幅寸法および横断面形状に形成することができる。このような緊締テープを巻回した繊維強化プリプレグの繊維層は、所要温度で所定時間にわたって加熱焼成し、硬化した後、芯金を抜き取り、緊締テープを取外す。
【００２５】
緊締テープを取外した後、プリプレグの樹脂により繊維束２４の回りを樹脂膜が覆い（図５）、各繊維束２４Ａ，２４Ｂ，２４Ｃを囲む樹脂膜と凹部２６との間および交差部２５を覆う樹脂膜と凹部２６との間に形成される多数の段差と共に、緊締テープによる連続した螺旋状段差２８が形成される。
【００２６】
この緊締テープによる連続した螺旋状段差２８は、緊締テープの平坦な内面と、緊締テープの側縁部に沿う端面とにより、螺旋状の延在方向に対して垂直な断面において、例えば略９０度程度の鋭い稜線状の頂部がプリプレグ中の樹脂で形成される。緊締テープが大径竿杆１２の穂先側から元側に向けて巻回されることにより、緊締テープの側縁部に沿う端面が前方すなわち穂先側に向けて、大径竿杆１２の軸線に対して先側の垂直に近い急傾斜面と元側の緩傾斜面とにより、のこ歯状に形成される。これにより、握持した手が先側に向けた軸方向に沿う滑りを効果的に防止することができる。また、緊締テープを取外した後に、滑り止め２２の表面を研磨する場合にも、この螺旋状段差２８による滑り止め効果を維持する範囲内で行うことが好ましい。
【００２７】
このように形成された滑り止め２２は、握り部１８の全周にわたって、強化繊維の繊維束２４による多数の段差とプリプレグの表面上の螺旋状段差と２８からなる凹凸状の外周面が竿杆の本体と一体構造に形成される。特に、隣接する螺旋状段差２８間の緩傾斜面では、斜向繊維束２４Ｂ，２４Ｃおよび交差部２５が凹部２６との間に形成する段差が非連続状態で多数形成され、握持する手の周方向の滑りを効果的に抑制し、螺旋状段差２８は、軸方向、特に穂先方向への軸方向の滑りを効果的に抑制する。これにより、握り部１８における周方向および軸方向の双方の方向の滑りを効果的に抑制することができる。
【００２８】
本実施形態では、このような滑り止め２２を形成した前部握り部１８Ａに、魚釣用リール８を固定するリール脚固定装置３０を取付けてある。
【００２９】
図３に拡大して示すように、このリール脚固定装置３０は、先端部と後端部と中間部との例えば３箇所の糸巻部Ｔで滑り止め２２の外周部に固定された金属製の板状シート本体３２と、シート本体３２の長手方向に沿う一対のガイド溝３４（一方のみを示す）に沿って移動可能な移動フード３６と、一端側に配置した固定フード３８とを備え、この移動フード３６に設けた操作レバー３６ａを起伏操作することにより、移動フード３６がシート本体３２に対して移動可能な状態と移動不能な状態とに切換えることができる。
【００３０】
シート本体３２は、大径竿杆１２の外周面にほぼ対応した裏面形状を有し、反対の外面側には、魚釣用リール８の釣竿取付部を載置するリール脚載置面４０を一対のフード３６，３８間に配置形成してある。このリール脚載置面４０上で、リールの取付脚の一端を固定フード３８の開口内に配置し、取付脚の他端を、移動フード３６の開口内に配置した状態で、この移動フード３６を固定フード３８に向けて移動すると、魚釣用リール８の略Ｔ字状の取付脚８ａが一対のフード３６，３８間でリール脚載置面４０に向けて付勢される。この状態で移動フード３６に設けた操作レバー３６ａを、図３に示すように、リール脚載置面４０側に倒すと、移動フード３６の移動が阻止され、リール脚固定装置３０に、魚釣用リール８の取付脚８ａが強固に固定される。
【００３１】
なお、シート本体３２は、図示のような糸巻部Ｔに限らず、接着剤等で固定することも可能である。この糸巻部Ｔで固定する場合には、糸巻部Ｔに合成樹脂製の糸止め剤を含浸させ、又は、外周部に糸止め剤を塗布して糸を固定してもよい。
【００３２】
このように、魚釣用リール８を固定する前部握り部１８Ａの全周にわたる滑り止め２２が、繊維強化プリプレグの織物状強化材を形成する繊維束２４と繊維束２４間の凹部２６との間の多数の段差と、プリプレグの表面を押圧する緊締テープによる連続した螺旋状の段差２８とで形成され、これらの段差が組み合わされた凹凸状の外周面が大径竿杆１２の本体と一体構造に形成されることにより、水に濡れた場合でも、握り部１８Ａの表面に水膜が形成されるのが防止されると共に、繊維束２４による多数の段差が握持した手の周方向に沿う滑りを抑制し、螺旋状段差２８が軸方向に沿う滑りを抑制し、全周にわたって効果的な滑り止め効果を長期間にわたって得ることができる。
【００３３】
しかも、竿杆１２の本体と一体に形成することができることにより、これらの滑り止め２２を竿杆１２の形成後に加工する必要がなく、低コストで形成することができる。
【００３４】
また、魚釣用リール８を取付けるリール脚固定装置３０を凹凸状の外周面に固定することにより、滑り止め２２の滑り止め効果を阻害することなく、握り部１８の適宜の位置にリール脚固定装置３０を安定的に配置することができる。
【００３５】
更に、外周面に連続する螺旋状段差２８は、握持した手の軸方向に沿う滑りを効果的に防止すると共に、隣接する螺旋状段差２８間に繊維束２４の交差部２５を配置することができ、周方向に沿う滑り止め効果を損なうこともない。
【００３６】
上述の実施形態では、滑り止め２２を前部握り部１８Ａの全周にわたって形成したが、前部握り部１８Ａに限らず、後部握り部１８Ｂの一部又は全部に形成してもよい。また、織物状強化材に合成樹脂を含浸させたプリプレグによる滑り止め２２は、リール脚固定装置３０を配置する部位を除いて形成してもよく、軸方向に間隔をおいて複数部位に形成することも可能である。
【図面の簡単な説明】
【００３７】
【図１】本発明の好ましい実施形態による釣り竿の全体説明図。
【図２】図１の釣り竿の握り部の拡大図。
【図３】握り部から魚釣用リールを取外した状態の説明図。
【図４】図３の握り部を更に拡大した説明図。
【図５】図４のＶ−Ｖ線方向に沿う説明図。
【図６】変形例による強化繊維束の配置を示す説明図。
【符号の説明】
【００３８】
１０…釣り竿、１２…元竿（竿杆）、１８…握り部、２４…繊維束、２６…凹部。
【図１】
2010104335.tif 000003
【図２】
2010104335.tif 000004
【図３】
2010104335.tif 000005
【図４】
2010104335.tif 000006
【図５】
2010104335.tif 000007
【図６】
2010104335.tif 000008